(57)【要約】【課題】分離して収容される複数種の収容物同士を必要に応じて必要量だけ混合でき、収容物を収容する収容部内に外気が流入することを防止する外気遮断機能を有する収容体を提供する。【解決手段】収容体は、各収容部２Ａ，２Ｂに収容された収容物をそれぞれ受け入れる外気遮断部材１０を有する。各収容部は、外気遮断部材１０を構成する筒部３３に設けられた第１の隔壁３４によって外部から隔離されると共に、流出口４０および流入口４１と密着する密着部材によっても外部から隔離されている。また、各収容部２Ａ，２Ｂの収容物は、筒部３３に設けられた第２の隔壁２０によって仕切られたそれぞれの離隔室２０Ａ，２０Ｂを経由して収容物混合部１９へと注出され、収容物混合部１９で各収容物が混合される。【選択図】図２
2013256300.tif 000002
【特許請求の範囲】
【請求項１】
複数種の収容物を個別に収容する複数の収容部と、
前記収容物を注出するための注出部と、
前記注出部に設けられる外気遮断部材と、
前記外気遮断部材を通じて注出される各収容物を一括して受けて混合するための収容物混合部と、
を有する収容体であって、
前記外気遮断部材は、
固定部と、前記固定部と一体形成されて前記収容物混合部に通じる排出口とを備えた筒部と、
前記固定部に固定され、前記筒部の側面に密着することにより密着領域を形成する変形可能な密着部材と、
を有し、
前記筒部は、前記密着領域の範囲内において、その内部を２つの区画室に分ける第１の隔壁を有するとともに、各区画室内を前記収容部の数に対応する数の離隔室に分ける第２の隔壁を有し、
前記第１の隔壁によって仕切られる第１の区画室の各離隔室は、それぞれ前記各収容部に連通するとともに、前記収容物を注出させるための流出口を前記密着領域に有し、
前記第１の隔壁によって仕切られる第２の区画室の各離隔室は、それぞれ前記筒部の排出口を通じて前記収容物混合部に連通するとともに、前記第１の区画室における各離隔室に対応した前記流出口から注出される収容物を、それぞれ前記密着領域を介して受け入れるための流入口を前記密着領域に有し、
前記各収容部に押圧力を作用させて前記流出口および前記流入口に対する密着部材の密着状態を開放することにより、前記各収容部内の収容物を、対応する離隔室を経由して前記筒部の排出口から前記収容物混合部内へと一括注出可能としたことを特徴とする収容体。
【請求項２】
前記固定部は、断面略舟形形状の溶着部として形成され、
前記密着部材は、前記溶着部を介在して溶着されるシート状部材であることを特徴とする請求項１に記載の収容体。
【請求項３】
前記シート状部材は、前記複数の収容部を形成していることを特徴とする請求項２に記載の収容体。
【請求項４】
前記筒部が前記第１の隔壁によって上下に仕切られることにより前記２つの区画室が形成され、対応する離隔室同士の前記流出口および前記流入口が互いに上下にほぼ位置合わせされた状態で前記筒部の側面にそれぞれ形成されることを特徴とする請求項１から３のいずれか１項に記載の収容体。
【請求項５】
前記収容物混合部に着脱自在に取り付けられるキャップを更に備え、
前記キャップは、前記収容物混合部へ注出される混合された収容物を受ける受け部と、前記各離隔室に対応して設けられた前記各流入口に対して係脱自在に係合して、各流入口を閉塞可能にする封止部と、を有することを特徴とする請求項１から４のいずれか１項に記載の収容体。
【請求項６】
前記キャップは、前記受け部から延在して前記筒部の前記第２の区画室内に嵌まり込む筒体を有し、
前記筒体には、前記第２の隔壁の案内によって筒体を第２の区画室内へ導入するガイド溝が設けられていることを特徴とする請求項５に記載の収容体。
【請求項７】
前記筒体には、この筒体を前記第２の区画室内に嵌め込んだ状態で前記封止部を前記流入口から離脱させた際、前記流入口から前記第２の区画室内への収容物の流入を許容する切り欠き部が設けられることを特徴とする請求項５又は６に記載の収容体。
【発明の詳細な説明】
【技術分野】
【０００１】
本発明は、例えば、園芸用散布薬剤、頭髪染色用薬剤、接着剤など、複数種の収容物を分離して収容するとともに、それらの収容物同士を必要に応じて必要量だけ注出して混合できる収容体に関する。
【背景技術】
【０００２】
従来、例えば、２種類の薬剤を混合攪拌して使用する染毛剤や、主剤および硬化剤を混合攪拌して硬化させる２液型の接着剤などは、使用直前に混合することが望ましく、そのため、薬剤の種類ごとに包装袋に密閉封入され、各包装袋から薬剤を攪拌容器に取り出して混合攪拌した後、使用されていた。しかし、このような従来の包装袋では、別途攪拌容器を用意して混合攪拌しなければならず、面倒である、という問題がある。
【０００３】
そのため、最近では、複数種の液体を複数の区画室に分離して収容するとともに、それらの液体同士を混合して吐出できるようにした様々な形態の収容体が提案されている（例えば、特許文献１および特許文献２参照）。
【先行技術文献】
【特許文献】
【０００４】
【特許文献１】特開２００７−１２６１７３号
【特許文献２】特開２０００−３２７０４２号
【発明の概要】
【発明が解決しようとする課題】
【０００５】
ところで、前記収容体には、嫌気性の液体を収容する場合があり、そのような嫌気性の収容物は、栓体を開封して注出操作をした後、そのまま収容体内に残しておくことがあるため、開封した後は、外気の流入を阻止できるように再シールすることが望まれる。また、複数種の液体を収容して混合できる液体混合型の収容体にあっては、収容体に収容される液体同士が混合作業以外のときに混ざることを確実に防止することが必要である。しかしながら、前述した特許文献１および特許文献２を含む従来の液体混合型の収容体は、これらの２つの要件を十分に満たすものではない。
【０００６】
本発明は、上記した問題に着目してなされたものであり、分離して収容される複数種の収容物同士を必要に応じて必要量だけ混合でき、混合作業以外のときにはこれらの収容物同士が混ざるのを確実に防止できるとともに、収容物を収容する収容部内に外気が流入することを防止する外気遮断機能も有する収容体を提供することを目的とする。
【課題を解決するための手段】
【０００７】
上記した目的を達成するために、本発明は、複数種の収容物を個別に収容する複数の収容部と、前記収容物を注出するための注出部と、前記注出部に設けられる外気遮断部材と、前記外気遮断部材を通じて注出される各収容物を一括して受けて混合するための収容物混合部と、を有する収容体であって、前記外気遮断部材は、固定部と、前記固定部と一体形成されて前記収容物混合部に通じる排出口とを備えた筒部と、前記固定部に固定され、前記筒部の側面に密着することにより密着領域を形成する変形可能な密着部材と、を有し、前記筒部は、前記密着領域の範囲内において、その内部を２つの区画室に分ける第１の隔壁を有するとともに、各区画室内を前記収容部の数に対応する数の離隔室に分ける第２の隔壁を有し、前記第１の隔壁によって仕切られる第１の区画室の各離隔室は、それぞれ前記各収容部に連通するとともに、前記収容物を注出させるための流出口を前記密着領域に有し、前記第１の隔壁によって仕切られる第２の区画室の各離隔室は、それぞれ前記筒部の排出口を通じて前記収容物混合部に連通するとともに、前記第１の区画室における各離隔室に対応した前記流出口から注出される収容物を、それぞれ前記密着領域を介して受け入れるための流入口を前記密着領域に有し、前記各収容部に押圧力を作用させて前記流出口および前記流入口に対する密着部材の密着状態を開放することにより、前記各収容部内の収容物を、対応する離隔室を経由して前記筒部の排出口から前記収容物混合部内へと一括注出可能としたことを特徴とする。
【０００８】
上記した構造の収容体によれば、収容部に押圧力を作用させて内圧を高めると、各収容部内の収容物は、前記筒部の第１の区画室の対応する離隔室内に導入されて、密着領域で密着している密着部材を、流出口を介して押し広げ、密着領域の対応する流出口および流入口を開放する。したがって、各収容部の収容物は、第１の区画室の対応する離隔室から開放された流出口を通じて流出するととともに、密着状態が開放された密着部材と筒部の側面との間の空間（密着部材が押し広げられることにより流出口と流入口との間に形成される収容物のための流路）を介して流入口から第２の区画室の対応する離隔室内に流入し、排出口を介して収容物混合部内に流入する。すなわち、各収容部の収容物は、互いに混合することなく各区画室の対応する離隔室を経由して注出され、収容物混合部で合流して混合される。一方、収容部の押圧を解除すると、その負圧によって、密着部材の引張力が回復し、密着領域の密着部材は再び筒部の側面に密着して流出口および流入口を閉塞する。したがって、収容物の注出後に、収容部内に外気が流入することが防止され、確実なシール機能が発揮される。
【０００９】
このように、上記した構造の収容体によれば、収容部に押圧力を作用させるたびに、各収容部に収容されている異なる収容物を、第２の区画室を介して収容物混合部へと注出でき、分離して収容されている複数種の収容物同士を、必要に応じて必要量だけ混合することができる。また、このとき、第２の区画室の容積と収容物混合部の容積とによって規定される量の収容物を注出することができることから、収容物の計量機能を得ることができる。
【００１０】
また、上記した構造の収容体によれば、各収容部は、筒部に設けられた第１の隔壁によって外部から隔離されるとともに、流出口および流入口に対して密着する密着部材によっても外部から更に隔離されている。すなわち、各収容部が、外部に対して２段階で隔離された状態となっているため、収容物注出後のシール性を高めることができ、収容物注出後の収容物の漏出や外気の流入を防止できる。また、外部に開放されている排出口により、サックバック効果（流出口および流入口が閉じられる際に外気との圧力差で収容物が収容部内へ向けて吸引される効果）も得られ、確実な再シール性、および漏れ防止性が確保される。
【００１１】
更に、上記した構造の収容体によれば、各収容部の収容物が、第２の隔壁によって仕切られたそれぞれの対応する離隔室を経由して収容物混合部へと注出される（互いに混合することなく各区画室の対応する離隔室を経由して注出される）ため、収容物混合部以外で各収容物が混ざることが防止される。このため、混合作業以外のときに、各収容物同士が混ざることを確実に防止できる。
【００１２】
なお、上記した構成では、収容物混合部に、着脱自在に取り付けられるキャップを設け、このキャップに、収容物混合部へ注出される混合された収容物を受ける受け部と、各離隔室の流入口に係脱自在に係合して、流入口を閉塞可能な封止部とを設けることが好ましい。このようなキャップによれば、収容物混合部にキャップを取り付けた状態で収容体を例えば振り動かすことにより、収容物混合部内の混合された収容物を、受け部と収容物混合部とによって形成される閉塞空間内で均一に撹拌混合することができるとともに、その混合物を受け部で受けた状態でキャップを収容物混合部（したがって収容体）から取り外して混合物を別の容器へ移し替えることもでき、使い勝手が良くなる。また、前記封止部により筒部の流入口を閉塞できるため、収容体を使用しないときの外気遮断機能を更に高めることができる。
【発明の効果】
【００１３】
本発明によれば、分離して収容される複数種の収容物同士を必要に応じて必要量だけ混合でき、混合作業以外のときには、これらの収容物同士が混ざるのを確実に防止できるとともに、収容物を収容する収容部内に外気が流入することを防止する外気遮断機能も有する収容体が得られる。
【図面の簡単な説明】
【００１４】
【図１】本発明に係る収容体の一実施形態を示す全体構成図。
【図２】図１に示した収容体の主要部を拡大した図であり、外気遮断部材の部分を拡大した斜視図。
【図３】収容物を注出する際の収容物の流出経路を示す図であり、（ａ）は収容物混合部としての計量カップの平面図、（ｂ）は流出経路を矢印で示した外気遮断部材の斜視図、（ｃ）は第１の収容部に収容される第１の収容物の流出経路を説明するための要部拡大断面図、（ｄ）は第２の収容部に収容される第２の収容物の流出経路を説明するための要部拡大断面図。
【図４】収容部を構成する三方袋の全体構成を示す概略図。
【図５】収容物混合部としての計量カップに着脱自在に取り付けられるキャップの斜視図。
【図６】図５のキャップに設けられる封止部と、外気遮断部材の筒部の流入口との係脱形態を示す要部拡大断面図であり、（ａ）は封止部が流入口に係合した状態を示す図、（ｂ）は封止部が流入口から離脱した状態を示す図。
【図７】キャップを収容物混合部としての計量カップに取り付けた状態を示す要部断面図であり、（ａ）は、キャップの受け部を計量カップ内に嵌め込むとともに、受け部から延在する筒体を筒部の第２の区画室内に嵌め込んだ状態で封止部を流入口に係合させた状態を示す図、（ｂ）は、（ａ）の状態からキャップを若干引き戻して封止部を流入口から離脱させた状態を示す図。
【図８】図７の（ｂ）の状態で収容体を逆さまにして計量カップ内の混合物をキャップの受け部へ移動させた状態を示す要部断面図。
【発明を実施するための形態】
【００１５】
以下、図面を参照しながら本発明に係る収容体の一実施形態について説明する。
図１から図４は、本発明に係る収容体の一実施形態を示す図であり、図１は、全体構成図、図２は、図１に示した収容体の主要部を拡大した図であり、外気遮断部材の斜視図、図３は、収容物を注出する際の収容物の流出経路を示す図であり、（ａ）は収容物混合部としての計量カップの平面図、（ｂ）は流出経路を矢印で示した外気遮断部材の斜視図、（ｃ）は第１の収容部に収容される第１の収容物の流出経路を説明するための要部拡大断面図、（ｄ）は第２の収容部に収容される第２の収容物の流出経路を説明するための要部拡大断面図、そして、図４は、収容部を構成する三方袋の全体構成を示す概略図である。
【００１６】
本実施形態に係る収容体１は、複数種の収容物を個別に収容する複数の収容部、例えば、本実施形態では２種類の収容物を個別に収容する２つの収容部２Ａ，２Ｂと、各収容部２Ａ，２Ｂ内に収容される第１および第２の収容物を注出するために収容部２Ａ，２Ｂの上部境界領域付近に形成された注出部３と、注出部３に設けられ、収容部２Ａ，２Ｂに対する外気遮断機能を有する外気遮断部材１０と、外気遮断部材１０を通じて注出される各収容物を一括して受けて混合するための収容物混合部（筒状の計量カップ）１９とを備えて構成されている。
【００１７】
ここで、収容部２Ａ，２Ｂ内に収容される前記収容物としては、例えば、使用直前に混合することが望まれる園芸用散布薬剤、頭髪染色用薬剤、接着剤などの各種混合成分が挙げられるが、これに限定されず、例えば、食品、医薬品、化粧液、インクなどであっても良い。
【００１８】
収容部２Ａ，２Ｂを有する収容体１は、軟性性を有する部材で構成され、外部から押圧力を加えることで、各収容部に収容された収容物が排出可能に構成されたものであれば良い。具体的に、本実施形態において、収容部２Ａ，２Ｂは、所定形状のシート状部材２ａ，２ｂを重ね合わせ、図１および図４に斜線で示す周縁（側縁２ｅ，２ｆ、上縁２ｇ、および、下縁２ｈ）および中央部２ｉを溶着することで形成される。なお、注出部３に外気遮断部材１０を介在して取り付ける前の段階では、上縁２ｇの溶着は行なわれず、また、中央部２ｉに関しても、注出部３を構成する領域（上部領域）の溶着は行なわれない（図４参照）。
【００１９】
また、本実施形態の収容部２Ａ，２Ｂは、単にシート状部材２ａ，２ｂの周縁部を溶着した非自立体（二方体、三方体等；図では三方体）として構成されるが、例えば、ガゼット袋状の形態も本発明の収容部形態に含まれる。なお、収容部２Ａ，２Ｂに関しては、溶着する部分や、袋体を構成するシート状部材の形状等については、使用用途などに応じて適宜変形することができ、図に示す構成に限定されることはない。また、複数存在する収容部を押圧することができれば、ボトルタイプとして構成されていても良い。
【００２０】
本実施形態における前記シート状部材２ａ，２ｂは、柔軟性を有する合成樹脂製のシート（プラスチックフイルム）、例えば、溶着し易いように、ポリエチレンやポリプロピレンなどによって構成されており、その表面側に、収容物に対するバリア性を高めるように、ナイロン、アルミホイルなどを積層した、いわゆる複合層で構成されている。
【００２１】
前記注出部３に設けられる外気遮断部材１０は、筒部３３と、この筒部３３の側面に対して密着することで密着領域を形成する変形可能な密着部材と、を備えている。前記筒部３３には、前記密着部材が固定されるように、その上下（注出方向の上下）に溶着部（固定部）３３ａ，３３ｂが一体形成されている。前記筒部３３及び溶着部３３ａ，３３ｂは、例えば、ポリエチレン、ポリプロピレン等の合成樹脂によって形成されており、本実施形態では、前記収容部を形成する重ねた状態のシート状部材２ａ，２ｂによって密着部材が構成されている。具体的に、前記溶着部３３ａ，３３ｂは、前記重ねた状態のシート状部材２ａ，２ｂ間に介在されて、その内面縁部が溶着し易いような形状となっていれば良く、例えば、断面が舟形形状、楕円形状、円形状のようなものが該当する（これらの形状を略舟形形状とする）。そして、シート状部材２ａ，２ｂ間に介在された溶着部３３ａ，３３ｂに対しては、図示しないヒートバーにより、重ね合わせたシート状部材２ａ，２ｂが溶着される（溶着される部分を斜線で示す）。
【００２２】
なお、前記下側の溶着部３３ｂには、下方に向けて仕切片３３ｃが一体形成されており、この仕切片３３ｃには、前記シート状部材の中央部２ｉの延長部分が溶着され、これにより、各収容部２Ａ，２Ｂ内に収容される収容物は、中央部２ｉ部分での溶着、及び仕切片３３ｃによって分離された状態となる。
【００２３】
前記筒部３３は、溶着部３３ａ，３３ｂに溶着されるシート状部材２ａ，２ｂが未溶着状態となった部分であり、シート状部材２ａ，２ｂがその張力によって密着（圧接）する部分となっている。このため、筒部３３の表面は、溶着部３３ａ，３３ｂの表面と面一（断面略舟形形状）になっていても良いし、段差面となっていても良い。すなわち、筒部３３と溶着部３３ａ，３３ｂは一体化されており、シート状部材２ａ，２ｂが溶着部３３ａ，３３ｂに溶着され、筒部３３の表面は未溶着部分（白抜き部分）となる。なお、本実施形態では、筒部３３の表面は、溶着部３３ａ，３３ｂの表面と面一となっており、溶着部３３ａ，３３ｂの両端部は、筒部３３の外面から外方向に突出する突出縁３３ｆとなっている。
【００２４】
また、前記シート状部材２ａ，２ｂは、溶着部３３ａ，３３ｂ以外に、その両側縁２ｊ，２ｋで互いに溶着されるとともに、後述する第２の隔壁位置に対応して、筒部３３の表面部（接合部領域２ｌ，２ｍ）に溶着される（図２の斜線参照）。この２ｌ，２ｍの溶着は、収容物が混合しないように溶着される部分となる。
【００２５】
前記筒部３３は、その内部を上下２つの区画室３４Ａ，３４Ｂに分ける第１の隔壁（本実施形態では、横隔壁）３４を備えている。ここでは、収容部側の区画室（第１の区画室）を符号３４Ａで、排出口側の区画室（第２の区画室）を符号３４Ｂで示してある。なお、本実施形態では、仕切られる空間が円筒空間となっているが、任意の形状の空間で仕切られても良い。また、筒部３３は円筒形状に限られることはない。
【００２６】
前記筒部３３の表面の未溶着部分は、上下に区画した第１および第２の区画室３４Ａ，３４Ｂを跨ぐように形成されており、前記シート状部材２ａ，２ｂは、２つの区画室３４Ａ，３４Ｂに対応する部分で、その表面（筒部表面）に密着（あるいは圧着）している。
【００２７】
また、各区画室３４Ａ，３４Ｂは、第２の隔壁（本実施形態では、縦隔壁）２０によって、収容部の数に対応する数の離隔室に分けられている。したがって、本実施形態では、収容部２Ａ，２Ｂが２つであるため、上下の各区画室３４Ａ，３４Ｂには、それぞれ２つの（左右の）離隔室２０Ａ，２０Ｂが存在する。この場合、第２の隔壁２０は、２つの区画室３４Ａ，３４Ｂに跨って延びており、その上端は筒部３３の上方まで延び、その下端は筒部３３の下方まで延びている。そして、隔壁２０は、筒部３３の下端から更に下方へ延びており、前記仕切片３３ｃと一体化されて、各収容部２Ａ，２Ｂからの収容物を、そのまま下側の第１の区画室３４Ａの対応する離隔室２０Ａ，２０Ｂへ、それぞれ案内するガイド部としての機能を有する。
【００２８】
第１の隔壁３４によって仕切られる下側の第１の区画室３４Ａの各離隔室２０Ａ，２０Ｂは、注出部３の流路を介して対応する収容部２Ａ，２Ｂに連通するとともに、収容物を注出させるための１つの流出口４０を有する。本実施形態において、第１の区画室３４Ａにおける各離隔室２０Ａ，２０Ｂに対応して設けられる流出口４０は、筒部３３の側面の両側に、例えば周方向に１８０°互いに離間されて設けられるとともに、第２の隔壁２０を挟んで互いに反対側（すなわち、第２の隔壁２０と筒部３３との接合部領域２ｌ，２ｍを挟んで互いに反対側）に位置されている。特に、本実施形態において、それぞれの離隔室２０Ａ，２０Ｂの流出口４０は、第２の隔壁２０と筒部３３との接合部領域２ｌ，２ｍに近接して設けられている。なお、本実施形態では、各離隔室２０Ａ，２０Ｂに１つの流出口４０が設けられているが、２つ以上の流出口４０が設けられていても良い。
【００２９】
また、第１の隔壁３４によって仕切られる上側の第２の区画室３４Ｂの各離隔室２０Ａ，２０Ｂは、筒部３３の上端に形成された排出口７０を通じて筒状の計量カップ１９に連通されるとともに、第１の区画室３４Ａの対応する離隔室２０Ａ，２０Ｂの流出口４０から注出される収容物を受け入れるための流入口４１を有する。本実施形態において、第２の区画室３４Ｂのそれぞれの離隔室２０Ａ，２０Ｂの流入口４１は、前記流出口４０と上下にほぼ位置合わせされた状態で筒部３３の側面の両側に、周方向に１８０°互いに離間されて設けられている（したがって、流出口４０と同様、隔壁２０と筒部３３との接合部領域２ｌ，２ｍに近接して設けられている）。なお、本実施形態では、各離隔室２０Ａ，２０Ｂに１つの流入口４１が設けられているが、２つ以上の流入口４１が設けられていても良い。
【００３０】
また、本実施形態では、流出口４０および流入口４１は、筒部３３の側面に略面一に形成されているが、筒部３３の側面から径方向外側に突出する凸部を設けておき、この凸部に流出口４０および流入口４１を形成しても良い。その場合、凸部の先端を平坦な面に形成してシート状部材２ａ，２ｂの内面が密着し易い形状にしておくことが好ましい。このような構成では、前記凸部によってシート状部材２ａ，２ｂが径方向外側に弾性的に引き伸ばされるようになるため、シート状部材と筒部との密着領域において、前記凸部の先端面にシート状部材２ａ，２ｂがその引張力によって圧接し、流出口４０および流入口４１を十分なシール状態で閉塞できるようになる。
【００３１】
なお、排出口７０を通じて筒部３３と連通する計量カップ１９は、筒部３３と一体に形成されていても良く、あるいは、筒部３３に着脱自在に取り付けられるようになっていても良い。
【００３２】
以上のように構成された収容体１の作用について説明する。
収容部２Ａ，２Ｂに、ほぼ均等に押圧力を作用させて収容部２Ａ，２Ｂ内の圧力を高めると、各収容部２Ａ，２Ａ内の収容物は、図３に矢印で示されるように、仕切片３３ｃによって、注出部３の流路から、下側の第１の区画室３４Ａの対応する離隔室２０Ａ，２０Ｂ内に流れ込み、それぞれ流出口４０を介して、密着状態のシート状部材２ａ，２ｂを押圧するようになる。そして、この押圧力により、筒部３３の側面に密着していたシート状部材２ａ，２ｂは、側面から離間し（シート状部材２ａ，２ｂが押し広げられ）、流出口４０および流入口４１が開放される（図３の（ｃ）（ｄ）参照）。
【００３３】
これにより、各収容部２Ａ，２Ｂからのそれぞれの収容物は、図３の矢印で示されるように、第１の区画室３４Ａの離隔室２０Ａ，２０Ｂから、開放された流出口４０を通じて流出するとともに、密着状態が解放されたシート状部材２ａ，２ｂと筒体３３の側面との間の空間（シート状部材２ａ，２ｂが押し広げられることにより流出口４０と流入口４１との間に形成される収容物のための流路）を介して、対応する流入口４１に流入して上側の第２の区画室内３４Ｂの対応する離隔室２０Ａ，２０Ｂに流れ込む。そして、第２の区画室内３４Ｂの離隔室２０Ａ，２０Ｂに流れ込んだ各収容物は、排出口７０を介して、そのまま計量カップ１９に注出されて混合されるようになる。
【００３４】
なお、本実施形態では、各離隔室２０Ａ，２０Ｂの流入口４１（および流出口４０）は、第２の隔壁２０を挟んで互いに反対側に位置されており、また、シート状部材２ａ，２ｂが第２の隔壁２０と筒部３３との接合部領域２ｌ，２ｍで溶着されているため、密着状態が解放されたシート状部材２ａ，２ｂと筒体３３の側面との間の空間に流れ込んだ２種類の収容物同士が混ざり合うことはない。すなわち、各収容部２Ａ，２Ｂの収容物は、互いに混合することなく各区画室３４Ａ，３４Ｂの対応する離隔室２０Ａ，２０Ｂを経由して注出され、計量カップ１９で合流して混合されることになる。
【００３５】
一方、このように収容物を注出した後、収容部２Ａ，２Ｂに作用する押圧力を解除すると、上側の第２の区画室３４Ｂおよび計量カップ１９に規定量の収容物が貯留されたままの状態で、貯留された収容物を別に容器へ移すことが可能となる。また、シート状部材２ａ，２ｂに作用する押圧力が解除されると、流入口４１（および流出口４０）部分におけるシート状部材２ａ，２ｂは、その負圧および引張力によって、再び筒体３３の側面に密着して流出口４０および流入口４１を閉塞するため、収容部２Ａ，２Ｂ内に外気が流入することを確実に防止することが可能となる。
【００３６】
すなわち、計量カップ１９と第２の区画室３４Ｂとによる貯留効果と、シート状部材２ａ，２ｂによる密着効果によって、確実なシール効果が得られるようになる。また、本実施形態では、筒部３３の排出口７０が計量カップ１９を介して外部に開放しているため、サックバック効果（流出口４０および流入口４１が閉じられる際に外気との圧力差で収容物が収容部２Ａ，２Ｂ内へ向けて吸引される効果）も得られ、確実な再シール性が得られると共に、液だれを確実に防止することができる。
【００３７】
また、本実施形態では、排出口７０側の計量カップ１９、および第２の区画室３４Ｂが、収容物の流出後に収容物を貯留させる機能（貯留室となる機能）を有するため、収容物を注出する度に、計量カップ１９および第２の区画室３４Ｂに常に一定量の収容物を貯留させることが可能となり、収容物の計量機能を得ることができる。この場合、計量カップ１９に目盛を付したり、計量カップを透明な材料で構成することで、注出量を把握させることも可能である。
【００３８】
また、本実施形態では、流出口４０および流入口４１が、互いに上下にほぼ位置合わせされた状態で筒部３３の側面の両側にそれぞれ形成されるため、効率的な押圧力の伝達および収容物の流出を実現することができる。
【００３９】
さらに、本実施形態の収容体１によれば、各収容部２Ａ，２Ｂの収容物が、第２の隔壁２０によって仕切られたそれぞれの対応する離隔室２０Ａ，２０Ｂを経由して収容物混合部としての計量カップ１９へと注出される（互いに混合することなく各区画室３４Ａ，３４Ｂの対応する離隔室２０Ａ，２０Ｂを経由して注出される）ため、計量カップ１９以外で、各収容物が混合されることが防止される。つまり、混合作業以外のときに、これらの収容物同士が混ざることを確実に防止できる。
【００４０】
そして、上述した実施形態のような収容体では、前記計量カップ１９に着脱自在に取り付けられるキャップ（軽量カップ１９そのものが、解放された状態にならない）を設けておくことが好ましい。また、このようなキャップは、単に、軽量カップ１９を閉塞するだけでなく、計量カップ１９へ注出される混合された収容物を、別途、受けることができる受け部と、各離隔室２０Ａ，２０Ｂの流入口４１に係脱自在に係合してこの流入口４１を閉塞可能な封止部とを設けておくことが好ましい。
【００４１】
以下、そのような機能を有するキャップを、図１及び図５を参照しながら具体的に説明する。
【００４２】
図５に示されるように、キャップ３０は、計量カップ１９の外周に被嵌されて計量カップ１９の開口を閉塞できる有底円筒状の外筒部３０Ａと、この外筒部３０Ａの上端部に形成されて側方および上方に向けて張り出す板状の摘み部３０ａと、外筒部３０Ａの上端部内面から外筒部３０Ａの内側で、これと同軸的に延びるとともに、外筒部３０Ａとの間に計量カップ１９の周側壁を受け入れるための環状空間を形成する筒状の内筒部３０Ｂとを備えている。すなわち、軽量カップ１９の周側壁は、外筒部３０Ａと内筒部３０Ｂとの間の環状空間内に入り込むとともに、内筒部３０Ｂは、計量カップ１９へ注出される混合された収容物を受ける受け部をその内側に形成する。
【００４３】
また、受け部を形成する内筒部３０Ｂからは、そのまま、前記筒部３３の第２の区画室３４Ｂ内に嵌まり込む筒体３０Ｂａが延びている。この筒体３０Ｂａは、ある程度弾性的に変形できる材料によって形成されており、その端部付近に、第２の区画室３４Ｂの各離隔室２０Ａ，２０Ｂの流入口４１に係脱自在に係合して、各流入口４１を閉塞可能な一対の封止部２７を有している。
【００４４】
また、封止部２７には、その上端部に、流入口４１に係合した状態からの離脱を容易にする（図６（ａ）及び（ｂ）参照）ための下向きの傾斜面２７ａが形成されている。なお、本実施形態では、筒体３０Ｂａは、前記受け部をそのまま延在させて内筒部３０Ｂ自体によって同一材料から一体に形成される（筒体３０Ｂａを形成する内筒部３０Ｂは、この場合には互いに面一な計量カップ１９の内周面と筒部３３（第２の区画室３４Ｂ）の内周面とに嵌合できる外径寸法を有する）が、異なる素材により別体で形成されていても良い。
【００４５】
また、前記筒体３０Ｂａには、第２の隔壁２０を受け入れて、筒体３０Ｂａを第２の区画室３２Ｂ内へ導入するためのガイド溝２５が両側にそれぞれ形成されている。さらに、筒体３０Ｂａには、この筒体３０Ｂａを第２の区画室３４Ｂ内に嵌め込んだ状態で、封止部２７を流入口４１から離脱させた際に流入口４１から第２の区画室３４Ｂ内への収容物の流入を許容する切り欠き部５５が、ガイド溝２５の開口端付近から周方向に連続的に延びるように形成されている。
【００４６】
このようなキャップ３０によれば、計量カップ１９にキャップ３０を取り付けた状態で収容体１を例えば振り動かすことにより、計量カップ１９内の混合された収容物を内筒部３０Ｂの受け部と計量カップ１９とによって形成される閉塞空間内で均一に撹拌混合することができるとともに、その混合物を前記受け部で受けた状態でキャップ３０を計量カップ１９（したがって、収容体１）から取り外して混合物を別の容器へ移し替えることもでき、使い勝手が良くなる。また、封止部２７により筒部３３の流入口４１を閉塞できるため、収容体１を使用しないときの外気遮断機能を更に高めることができる。
【００４７】
以下、これについて詳しく説明する。
図７は、キャップ３０を計量カップ１９に取り付けた状態を示す要部断面図であり、図７（ａ）は、キャップ３０の内筒部３０Ｂ（受け部）を計量カップ１９内に嵌め込むとともに、内筒部３０Ｂ（受け部）から延在する筒体３０Ｂａを筒部３３の第２の区画室３４Ｂ内に嵌め込んだ状態で、筒体３０Ｂａの封止部２７を流入口４１に係合させた状態（図６（ａ）参照）を示している。この状態では、封止部２７によって、筒部３３の流入口４１が閉塞されるため、特に収容体１を使用しないときにおいて、前述した外気遮断機能を更に高めることができる。
【００４８】
一方、図７（ｂ）は、図７（ａ）の状態から、摘み部３０ａを摘まんで、キャップ３０を若干引き上げて封止部２７を流入口４１から離脱させた状態（図６（ｂ）参照）を示している。この状態では、筒部３３の内周面と筒体３０Ｂａの外周面との間に封止部２７が介在することになるため筒体３０Ｂａが弾性的に変形するが、筒体３０Ｂａの下端部に形成される切り欠き部５５の存在により、流入口４１から第２の区画室３４Ｂ内への収容物の流入が許容される。したがって、この状態では、前述したように、収容部２Ａ，２Ａに押圧力を作用させて各収容部２Ａ，２Ｂの収容物を第２の区画室３４Ｂおよび計量カップ１９に混合状態で貯留できる。
【００４９】
また、その貯留状態（計量カップ１９にキャップ３０を取り付けた状態）で収容体１を例えば振り動かすことにより、計量カップ１９内の混合された収容物を内筒部３０Ｂの受け部と計量カップ１９とによって形成される閉塞空間内で均一に撹拌混合することができる。
【００５０】
そして、その後、図８に示されるように、収容体１を逆さまにして計量カップ１９内の混合物をキャップ３０の内筒部３０Ｂ（受け部）へ移動させ（移動された貯留物が図８にＳで示されている）、キャップ３０を計量カップ１９（したがって、収容体１）から取り外せば、混合物（貯留物Ｓ）を別の容器へ移し替えることが可能となる。
【００５１】
以上、本発明の実施形態について説明してきたが、本発明は、上述した実施形態に限定されず、種々変形して実施することが可能である。
例えば、上記した実施形態では、収容部が２つであったが、収容部の数は３つ以上であっても良い。その場合、収容部の数に応じて離隔室の数（したがって、第２の隔壁の数）を増やせば良い。また、上記した実施形態における収容部２Ａ，２Ｂについては、その形状、大きさ、構成素材等、適宜変形することができ、注出部３に装着される外気遮断部材１０についても、収容部の形状や大きさに応じて、その取着位置を適宜変更することが可能である。また、外気遮断部材１０の全体的な構成や、溶着部の形状等についても適宜変形することが可能である。さらに、上記した実施形態では、外気遮断部材１０を構成する密着部材は、収容部と同一のシート状部材で構成したが、専用の部材で構成しても良い。また、外気遮断部材は、露出された状態になっているが、別途、カバー部材等を被着して隠蔽しても良い。
【符号の説明】
【００５２】
１  収容体
２ａ，２ｂ  シート状部材（密着部材）
２Ａ，２Ｂ  収容部
３  注出部
１０  外気遮断部材
１９  計量カップ（収容物混合部）
２０  第２の隔壁
２０Ａ，２０Ｂ  離隔室
２５  ガイド溝
２７  封止部
３０  キャップ
３３  筒部
３３ａ，３３ｂ  溶着部（固定部）
３４  第１の隔壁
３４Ａ  第１の区画室
３４Ｂ  第２の区画室
４０  流出口
４１  流入口
５５  切り欠き部
７０  排出口
【図１】
2013256300.tif 000003
【図２】
2013256300.tif 000004
【図３】
2013256300.tif 000005
【図４】
2013256300.tif 000006
【図５】
2013256300.tif 000007
【図６】
2013256300.tif 000008
【図７】
2013256300.tif 000009
【図８】
2013256300.tif 000010